(57)【要約】【課題】比較的サイズの小さなプール床に使用するのに適する構造の簡単なプール床昇降装置を提供する。【解決手段】対向する長辺の一方のプールサイド下には、モータにより回転駆動される駆動軸２２が配置され、駆動軸２２の両側にはプール床２３を昇降させる昇降機構２４が取付けられている。プールサイド両側に設置される支柱２６のうち、一方の支柱２６にはプール床２３の一側に連結される上記昇降機構２４が取付けられる。プール床２３の両側にガイドスプロケット３２が取付けられ、一端を昇降機構側の各支柱下端に連結した同調チェーン３３が両ガイドスプロケット３２に昇降機構２４側では上側より、対向する側では下側より掛けられたのち、対向する側の端板３０に連結され、プール床２３は、他側において同調チェーン３３により支持される。【選択図】図５
2007285085.tif 000002
【特許請求の範囲】
【請求項１】
矩形状をなすプールの四辺のプールサイドのうち、いずれか一辺のプールサイド下に設置され、モータによって回転駆動される駆動軸と、駆動軸が配置される側のプールサイド下の上下に配置されるスプロケット又はプーリと、該スプロケット又はプーリに掛け渡され、前記駆動軸により循環駆動されると共に、プールに昇降可能に設置されるプール床の一辺が連結されるエンドレスな索条と、前記一辺のプールサイド側のプール底ないしプール底近くと、該一辺と対向する辺のプールサイド側にそれぞれ両端を連結し、プール床両側に取付けられるスプロケット又はプーリに掛け渡されて張設され、プール床を支持する第２の索条とよりなることを特徴とするプール床の昇降装置。
【発明の詳細な説明】
【技術分野】
【０００１】
本発明は、プールに昇降可能に設置されるプール床の昇降装置に関する。
【背景技術】
【０００２】
この種のプール床の昇降装置に関して下記特許文献１には、図１〜図３に示すプール昇降装置が開示されている。
【０００３】
図１は、比較的大型のプール１に設置され、該プール１とほぼ同じ大きさをなすプール床９の昇降装置について示すもので、プール１の対向する長辺のプールサイド１ａの地下には、それぞれ駆動軸２が横向きに配置され、各駆動軸２はそれぞれ減速機付きモータ３によりチェーン伝動機構を介して回転駆動されるようになっており、中央部と両端にはプール床を昇降可能に支持する昇降機構４が取付けられている。この昇降機構４は、図１のＡ−Ａ線断面である図２に示すように、プール側壁に沿って上下に配置されるスプロケット５、５及び両スプロケット５、５の中間に位置し、駆動軸２の上下に配置されるガイドスプロケット６、６と、駆動軸２に取付けられるスプロケット７と、各スプロケット５、５、６、６、７に掛け渡されるエンドレスなチェーン８よりなり、該チェーン８にプール床９が吊りブラケット１０を介して連結され、駆動軸２の回転駆動によるチェーン８の循環駆動によりプール床９が昇降するようになっている。
【０００４】
図３は、プール床１１の別の例の昇降装置について示すもので、一方の短辺及び対向する長辺のプールサイド地下にはモータ１４により回転駆動される駆動軸１２及び該駆動軸１２と図示しないベベルギヤにより連結され、駆動軸１２に連動して回転する回転軸１３が配置され、回転軸１３の両側にはプール床１１を昇降する上述の昇降機構４が取付けられている。
【特許文献１】特開２００１−９８７８２号
【発明の開示】
【発明が解決しようとする課題】
【０００５】
本発明は、比較的サイズの小さなプール床に使用するのに適する構造の簡単なプール床昇降装置を提供することを目的とする。
【課題を解決するための手段】
【０００６】
本発明のプール床昇降装置は、矩形状をなすプールの四辺のプールサイドのうち、いずれか一辺のプールサイド下に設置され、モータによって回転駆動される駆動軸と、駆動軸が配置される側のプールサイド下の上下に配置されるスプロケット又はプーリと、該スプロケット又はプーリに掛け渡され、前記駆動軸により循環駆動されると共に、プールに昇降可能に設置されるプール床の一辺が連結されるエンドレスなチェーン又はワイヤー、ロープ等の索条と、前記一辺のプールサイド側のプール底ないしプール底近くと、該一辺と対向する辺のプールサイド側にそれぞれ両端を連結し、プール床両側に取付けられるスプロケット又はプーリに掛け渡されて張設され、プール床を支持するチェーン、ワイヤー、ロープ等の第２の索条とよりなることを特徴とし、プール床を支持する第２の索条には好ましくはターンバックルが設けられ、ターンバックルにより索条の長さを調節することによりプール床の床レベルの調整が行われる。なお、本発明でいうプールサイドとは、プール側壁上端のプール縁をいう。
【発明の効果】
【０００７】
本発明のプール床昇降装置によると、プール床を昇降させる昇降機構は、プールサイドの一辺に設けられるだけで、両側に設けるのと比べ、駆動軸や該駆動軸を回転駆動するモータなどの駆動源が一つですみ、構造が簡単となること、そして構造が簡単となることにより製造コストが低減されると共に、故障が少なくて消耗品も少なくてすみ、メンテナンスも容易となる。
【発明を実施するための最良の形態】
【０００８】
以下、本発明の実施形態のプール床昇降装置について図面により説明する。
図４は、本実施形態のプール床昇降装置を備えたプールの概略の平面を示すものであり、図５は、図４のＢ−Ｂ線断面を示すものである。
【０００９】
プールは、図１に示すプール１と比べ、サイズが大幅に小さな小型プールで、ほぼ同じ大きさのプール床２３が昇降可能に設置されている。
【００１０】
矩形状をなすプールの四辺のプールサイドのうち、対向する長辺の一方のプールサイド下には、モータ２１により回転駆動される駆動軸２２が横向きに配置され、駆動軸２２の両側にはプール床２３を昇降させる昇降機構２４が取付けられている。
【００１１】
プールサイドは、図５に示すように躯体２５より内側に迫り出してプール底に縦設の支柱２６により支持される端板３０により構成され、両側の各端板３０下に設けられる支柱２６のうち、一方の支柱２６には、その上下にスプロケット２７、２７が軸支され、両スプロケット２７、２７と駆動軸２２に取着のスプロケット２８にはエンドレスな索条であるチェーン２９が掛け渡されて循環駆動され、これによりチェーン２９に吊りブラケット３４を介して連結されるプール床２３を昇降させるようになっている。チェーン２９にはまた、遊動プーリ３１によりテンションが付与されるようになっており、これら各スプロケット２７、２７、２８とチェーン２９が上記昇降機構２４を構成している。
【００１２】
プール床２３の長辺側の両側面にはそれぞれ昇降機構２４に対応する箇所にガイドスプロケット３２が取付けてあり、一端を昇降機構側の各支柱下端に連結した第２の索条である、同調チェーン３３が両ガイドスプロケット３２に昇降機構２４側では上側より、対向する側では下側より掛けられたのち、対向する側の端板３０に連結されている。
【００１３】
本実施形態によると、一側が昇降機構２４のチェーン２９に吊りブラケット３４を介して連結されて支持されるプール床２３は、他側において同調チェーン３３により支持された状態となり、昇降機構２４によりガイドスプロケット３２が同調チェーン３３を移動しながら該同調チェーン３３に案内されて昇降する。
【産業上の利用可能性】
【００１４】
本発明のプール床昇降装置は、プール床支持状態において、対抗する辺のプール床を支持する索条には、引張力が加わることから、強度上から、またプール床の水平度を維持するうえからもサイズの小さなプール床に使用するのに適する。
【図面の簡単な説明】
【００１５】
【図１】従来のプール床昇降装置を備えたプールの概略平面図。
【図２】図１のＡ−Ａ線における拡大断面図。
【図３】従来の別の例のプール床昇降装置を備えたプールの概略平面図。
【図４】本発明に係わるプール床昇降装置を備えたプールの概略平面図。
【図５】図４のＢ−Ｂ線における断面図。
【符号の説明】
【００１６】
２１・・モータ
２２・・駆動軸
２３・・プール床
２４・・昇降機構
２５・・躯体
２６・・支柱
２７、２８・・スプロケット
２９・・チェーン
３０・・端板
３１・・遊動プーリ
３２・・ガイドスプロケット
３３・・同調チェーン
３４・・吊りブラケット
【図１】
2007285085.tif 000003
【図２】
2007285085.tif 000004
【図３】
2007285085.tif 000005
【図４】
2007285085.tif 000006
【図５】
2007285085.tif 000007